(57)【要約】【課題】            現在の封印用シールは注意深く剥がすと無傷で剥がしてしまうことができ、開封後に剥がしたシールの再利用が可能であり、シールの偽造が簡単にできてしまうという点であり、ナイフ等で切断した場合にその発見が困難であるという点等である。【解決手段】        シール基材の表面に、可視光領域で実質的に不可視であり、紫外線に励起されることで可視光領域で発光する特殊印刷層を設けてあることとし、シール基材の裏面には可視光領域で実質的に不可視であり、紫外線で励起されて可視光領域で発光する材料を含有した接着剤層を設けてあることとし、シール基材は脆質紙であることとし、シール基材はアルミシート等の耐湿性に富んだ材質のものとして複数枚のラミネート構造とし、その各シール基材間に可視光領域で実質的に不可視であり、紫外線で励起されて可視光領域で発光する材料を挟持密封してあることとする。【選択図】          図１
2006113245.tif 000002
【特許請求の範囲】
【請求項１】
シール基材の表面に、可視光領域で実質的に不可視であり、紫外線に励起されることで可視光領域で発光する特殊印刷層を設けてあることを特徴とするセキュリティシール。
【請求項２】
前記した特殊印刷層は受理層を介し、その受理層の表面に設けられていることを特徴とする請求項１に記載のセキュリティシール。
【請求項３】
前記したシール基材の裏面には可視光領域で実質的に不可視であり、紫外線で励起されて可視光領域で発光する材料を含有した接着剤層を設けてあることを特徴とする請求項１または請求項２に記載のセキュリティシール。
【請求項４】
前記した紫外線で励起されて可視光領域で発光する材料は発光物質とし、接着剤に混入されて接着剤層を形成してあることを特徴とする請求項３に記載のセキュリティシール。
【請求項５】
前記した紫外線で励起されて可視光領域で発光する材料はインクとして、マイクロカプセル内に封入され、接着剤に混入されて接着剤層を形成してあることを特徴とする請求項３に記載のセキュリティシール。
【請求項６】
前記したシール基材には前記した接着剤層を介して剥離紙が設けられていることを特徴とする請求項１、請求項２、請求項３、請求項４または請求項５に記載のセキュリティシール。
【請求項７】
前記したシール基材は脆質紙であることを特徴とする請求項１、請求項２、請求項３、請求項４、請求項５または請求項６に記載のセキュリティシール。
【請求項８】
前記したシール基材に、可視光領域で実質的に不可視で、紫外線で励起されて可視光領域で発光する材料を混入させてあることを特徴とする請求項１、請求項２、請求項３、請求項４、請求項５、請求項６または請求項７に記載のセキュリティシール。
【請求項９】
前記したシール基材はアルミシート等の耐湿性に富んだ材質のものとして複数枚のラミネート構造とし、その各シール基材間に可視光領域で実質的に不可視であり、紫外線で励起されて可視光領域で発光する材料を挟持密封してあることを特徴とする請求項１、請求項２、請求項３、請求項４、請求項５または請求項６に記載のセキュリティシール。
【請求項１０】
前記した接着剤層における接着剤は強力な水性または溶剤型アクリル系タイプのものを用いてあることを特徴とする請求項３、請求項４、請求項５、請求項６、請求項７、請求項８または請求項９に記載のセキュリティシール。
【請求項１１】
前記したシール基材の表面で、特殊印刷層を除いた部分に、可視光領域で視認できる印刷部を設けてあることを特徴とする請求項１、請求項２、請求項３、請求項４、請求項５、請求項６、請求項７、請求項８、請求項９または請求項１０に記載のセキュリティシール。
【請求項１２】
前記した特殊印刷層はシール基材である脆質紙上の受理層上にインクジェットプリンターによる印刷を可能とした状態で形成され、ランダムに変更される暗号キーを用いたコードが印刷されることを特徴とする請求項２に記載のセキュリティシール。
【請求項１３】
前記した印刷部はシール基材である脆質紙上に油性インクによるオフセット印刷でなされることを特徴とする請求項１１に記載のセキュリティシール。
【発明の詳細な説明】
【技術分野】
【０００１】
本発明はセキュリティシール、特に第三者が剥がしたり、切断したりして開封した痕跡を容易に確認することができることとしたセキュリティシールに関する。
【背景技術】
【０００２】
近時、パチンコやパチスロ、スロットマシン等の景品との交換、換金ができる遊技台にはＲＯＭを含めた電子基板が搭載され、玉やメダルの放出をコントロールすることができるようになっているのが一般的である。ここで、前記したＲＯＭを含めた電子基板のプログラムを不正に変更あるいは交換することで正規に設定されたものより大量の出玉やメダルを得るという犯罪行為が多発しており、そのプログラムの不正の変更や交換は店内に遊技台が設置された後でも、メーカーから店内へ搬入され、設置されるまでの流通過程でも行なわれている。
【０００３】
係る犯罪を抑止する方法として、前記した電子基板をプラスチック等のボックスケースに収め、そのケースの開口を閉塞する蓋体と本体に封印シールを貼着し、第三者がそのシールを剥がしたり、切断する等してケースを開けたか否かを判断することが行なわれている。
【０００４】
上記したような用途に用いられるシールとしてはボイドシールと呼ばれるものがあり、一旦貼着したシールを剥がすと「開封済」の文字のようなものが浮かび上がったり、剥がそうとすると千切れてボロボロになってしまい原型を留めない脆質紙を用いた復元不可能なシールが存在している。
【０００５】
しかし、上記したシール類は素材として一般市場に流通しているものであり、デザイン等を模して簡単に偽造し、貼り変えることも可能で、一度剥がした後に、偽造した同様のシールを貼着してしまうと、開封の事実が解らなくなってしまい、シールに期待する役割、効果を得ることができなくなってしまう。
【０００６】
また、パチンコ店等の遊技場では封印されたシールの確認を行なうのは比較的薄暗い所が多いことから、シールを剥がした後に偽造シールに貼り変えたり、ナイフでシールを切断して開封し、事後に切れ目をきちんと合わせて一見して判らないようにする等の不正行為が行ない易く、実存している封印のシールが正当なものか、切断されていないか等を一見しただけで判断する事は非常に難しいというのが現状である。
【特許文献１】本願発明に関して、出願人は先行する技術の調査を行なったが、格別に類似していると思われる文献は発見できなかった。
【発明の開示】
【発明が解決しようとする課題】
【０００７】
本発明が解決しようとする問題点は、現在の封印用シールは注意深く剥がすと無傷で剥がしてしまうことができ、開封後に剥がしたシールを再度貼り付ける再利用が可能であるという点であり、シールメーカーに依頼すれば全く同一のシールの量産も可能であるという点であり、シールに表わされている図柄をスキャナー等で取り込んでパソコン等でシールの偽造が簡単にできてしまうという点であり、ナイフ等で切断した場合にその発見が困難であるという点等である。
【０００８】
また、脆質紙はビニール状の物質で表面が撥水性となっているため、市販のインクジェットプリンターでは印刷をするのが困難であるという点であり、シールメーカーに製作を依頼すると第三者が容易にシールを作ることが可能となってしまう点であり、加えて経営者や管理者側で自らがシール表面に秘密の印刷をできるシステムが存在していないという点等である。
【課題を解決するための手段】
【０００９】
上記した問題点を解決するために、本発明に係るセキュリティシールはシール基材の表面に、可視光領域で実質的に不可視であり、紫外線に励起されることで可視光領域で発光する特殊印刷層を設けてあることを特徴とし、前記した特殊印刷層は受理層を介し、その受理層の表面に設けられていることを特徴としている。
【００１０】
また、本発明に係るセキュリティシールは前記したシール基材の裏面には可視光領域で実質的に不可視であり、紫外線で励起されて可視光領域で発光する材料を含有した接着剤層を設けてあることを特徴とし、前記した紫外線で励起されて可視光領域で発光する材料は発光物質とし、接着剤に混入されて接着剤層を形成してあることを特徴とし、前記した紫外線で励起されて可視光領域で発光する材料はインクとして、マイクロカプセル内に封入され、接着剤に混入されて接着剤層を形成してあることを特徴とし、前記したシール基材には前記した接着剤層を介して剥離紙が設けられていることを特徴としている。
【００１１】
さらに、本発明に係るセキュリティシールは前記したシール基材は脆質紙であることを特徴とし、前記したシール基材に、可視光領域で実質的に不可視で、紫外線で励起されて可視光領域で発光する材料を混入させてあることを特徴とし、前記したシール基材はアルミシート等の耐湿性に富んだ材質のものとして複数枚のラミネート構造とし、その各シール基材間に可視光領域で実質的に不可視であり、紫外線で励起されて可視光領域で発光する材料を挟持密封してあることを特徴とし、前記した接着剤層における接着剤は強力な水性または溶剤型アクリル系タイプのものを用いてあることを特徴としている。
【００１２】
そして、本発明に係るセキュリティシールは前記したシール基材の表面で、特殊印刷層を除いた部分に、可視光領域で視認できる印刷部を設けてあることを特徴とし、前記した特殊印刷層はシール基材である脆質紙上の受理層上にインクジェットプリンターによる印刷を可能とした状態で形成され、ランダムに変更される暗号キーを用いたコードが印刷されることを特徴とし、前記した印刷部はシール基材である脆質紙上に油性インクによるオフセット印刷でなされることを特徴としている。
【発明の効果】
【００１３】
本発明に係るセキュリティシールは上記のような構成となっているので、再利用は不可能で、かつ、剥がしたり、切断した痕跡は紫外線の照射により該当部分が発光することで明確となる。
【００１４】
また、特殊印刷層を設けたことで、スキャナーやカメラでの対応は不可能となり、オリジナリティが護られ、偽造することは一切でき得ないものとなっており、例えばボックス内に収納された製品等の安全性を確保することができるものとなっており、仮りに偽造シールを貼着されても即時に見破って対策を講じることができる。
【発明を実施するための最良の形態】
【００１５】
図面をもって示す実施例のように構成することで実現した。
【実施例１】
【００１６】
次に、本発明の好ましい実施の例を図面を参照して説明する。図１は本発明を実施したセキュリティシールの外観を示す斜視図、図２は同じく断面図、図３は同じく他の例を示す断面図、図４は同じく実施状態を示す図、図５は同じく印刷状態を示す図、図６は発光インクをマイクロカプセルに封入して使用して剥がした状態を示す図である。
【００１７】
これらの図にあって１は剥離紙を示しており、この剥離紙１には接着剤層２を介してシール基材３が設けられ、使用時にこのシール基材３を剥離紙１から剥し取り、接着剤層２を裏面に備えた状態で目的箇所に貼装することとなる。
【００１８】
前記した接着剤層２に用いられる接着剤は強力なもので、一旦貼装されたシール基材３が剥がされても、その痕跡として接着剤が貼着部分に残存するような水性または溶剤型アクリル系タイプのものが用いられている。
【００１９】
また、接着剤層２に用いられる接着剤には特定波長の紫外線の照射によって、赤、緑、青その他の色に発光する物質が含有されている。従って、例えば、２５４ｎｍや３６５ｎｍの波長の紫外線を照射した時に指定色で発光しなければ偽造のものと判断でき、不規則な部分発光をすればシール基材３が剥がされたか、あるいは剥がそうとした痕跡であると判断できる。
【００２０】
紫外線の照射により発光する物質としてはインクが使用され、前記した接着剤にそのインクをそのまま混合する方法と液状となっているインクをマイクロカプセルに封入し、そのマイクロカプセルを混合する方法とがある。
【００２１】
接着剤にインクをそのまま混合した場合、接着剤が硬化した後はインクが固定されることとなるが、マイクロカプセル９、９‥に封入して混合した場合にはシール基材３を例えばボックス１０等の対象物から剥がそうとすると、接着剤が糸を引くような状態となり、接着剤層２に混在するマイクロカプセル９、９‥には引張力が作用し、そのマイクロカプセル９、９‥を破壊する。この破壊によってマイクロカプセル９、９‥内のインクが流出し、紫外線を照射した時にはっきりと確認することができるようになる。
【００２２】
また、インクをマイクロカプセル９、９‥に封入して接着剤に混合した場合、刃物でシール基材３を切断すると、その切断作業で一部のマイクロカプセル９、９‥が破壊されることとなり、封入されているインクが流出し、紫外線を照射することで切断されたことを確認することができる。そのため、マイクロカプセル９、９‥の形状も球状のみならず金平糖形、瓢箪型、紐状等、刃物との接触で破壊され易い形状とすることで更に効果を上げることができる。
【００２３】
シール基材３には剥がす際には千切れ、ボロボロとなり再利用は不可能となる脆質紙が用いられている。このシール基材３の表面には印刷層４、４が可視インクにより形成され、シールとしてのデザインを表出させている。通常、脆質紙はプラスチック系の素材により成形されているもので油性インクとの親和性があり、一般的なオフセット印刷により印刷を行なうことができる。この印刷層４を形成した際には図５（ａ）に示すようにその印刷結果のみが見える状態となっている。
【００２４】
さらに、図中６は特殊印刷層を示し、この特殊印刷層６は受理層５の表面に形成される。受理層５については後に詳述する。この特殊印刷層６に用いられるインクは特定波長の紫外線を照射することで赤、緑、青に発光する特性を有している。このインクは特開２００２−１２１２０３号公報に示す組成の特徴を有している。
【００２５】
この特殊印刷層６の印刷状態は可視光の下でその内容を確認することができず、スキャナーやカメラを利用して取り込むことは不可能なため偽造することは極めて困難なこととなる。加えて、前記したように赤、緑、青の三原色のインクを用いて印刷を行なうことによって、紫外線を照射したときに印刷内容をカラーで表現できるので偽造は更に困難なこととなる。
【００２６】
この特殊印刷層６の印刷は各ユーザー毎に異なるコードを内容とすることが良く、そのため大量印刷をせず少量多品種となり、インクジェットプリンターによる印刷が各ユーザーサイドで行なわれる。プリンターは既存の市販品で済む。一般的にインクジェットプリンターにおける色の指定はＣ（シアン）、Ｍ（マゼンタ）、Ｙ（イエロー）その他によるが、使用される特殊インクは三原色であるＲ（赤）、Ｇ（緑）、Ｂ（青）の発光を行なうため通常のインクから色変換を一旦行なってから、インクジェットプリンターを使用し、所望のカラーで印刷することとなる。
【００２７】
一般的にインクジェットプリンターに使用するインクは水性であり、前記した特性をもつシール基材３、即ち脆質紙の表面には定着できない。そのためにシール基材３の表面に印刷層４のない部分７を設け、その部分７に特殊印刷層６に用いられる特殊インクとインクジェットプリンターに使用されるインクの両者に親和性をもつ物質をコーティングして受理層５を形成することが必要となる。
【００２８】
この受理層５に用いられる物質はシリカ系、アルミナ系化合物を混入したカチオン性ポリマーからなる物質の特徴を有している。この受理層５の成形（塗布）はシルクスクリーン印刷またはグラビア印刷等によってなされ、この印刷は図５（ｂ）のように特殊印刷層６を設ける部分にのみなされればよい。
【００２９】
また、前記した受理層５の存在は使用する特殊インクの性質やシール基材３の材質によっては必要としない場合もあることは勿論である。特殊印刷層６の印刷は各ユーザー毎に独自の内容を印刷することとなり、その内容としては既知の各種の暗号化法によって生成される文字列であったり、秘密の文字列であったりするが、その内容を知っているのは経営者、管理者のみでなければならない。
【００３０】
そのために、実際に特殊印刷層６を成形するのは経営者もしくは管理者であり、印刷装置は一般的なパソコンとインクジェットプリンターが用いられる。インクジェットプリンターに受理層５までを施したシールをセットして、紫外線の照射で発光する特性を有する前記した特殊インクをセットし、経営者あるいは管理者が文字列等を入力して印刷を実行する。
【００３１】
上記のように構成されたセキュリティシールは図５（ａ）で示すように、通常の可視光の下では通常の印刷層４しか見ることはできないが、特定波長の紫外線を照射することによって図５（ｃ）で示すように特殊印刷層６の内容が発光し、目視することができるようになる。
【００３２】
特殊印刷層６の内容は経営者あるいは管理者しか知らないので、セキュリティシールの偽造を行なおうとしても経営者あるいは管理者しか知らない暗号キーを用いてあるために特殊印刷層６の内容までを偽造することは不可能となる。なお、紫外線励起物質の発光色は、波長によって色が変わるので、サンプル色と比較すれば、同じように作られた偽造品でも発光物質の発光色が変わるので発見可能である。
【００３３】
セキュリティシールは例えば図４（ａ）に示すようにボックス等の対象物１０に貼装され、使用される。このシール基材３を刃物でカットしたり、剥がそうとした場合、図４（ｂ）に示すように紫外線発光器（ブラックライト）１１によって照射を行なうと、切断部分１２やむしり取った部分１３からは接着剤層２の残滓として接着剤が露呈され、この接着剤には前記したように紫外線による励起発光物質が混合されているので、その部分が例えば赤く光るような状況となり、カットしようとしたり、剥がそうとした事実を容易に判断できることになる。
【実施例２】
【００３４】
続いて、図３を参照して本発明の第二実施例を説明する。第一実施例と共通する部分には同一の符号を付して詳細な説明は省略する。この図３にあって３ａ、３ａはシール基材を示し、この第二実施例にあっては二枚を積合ラミネートした構造としてある。
【００３５】
このシール基材３ａ、３ａは耐湿性に富んだ材質のもの、例えばアルミシートが用いられ、このシール基材３ａ、３ａ間に紫外線の照射によって赤、緑、青等に発光する液状インク８を挟持封入し、その周囲を強力な接着剤で密封あるいは熱融着で密封し、液状インク８が漏出してしまうことがないようにしている。
【００３６】
この第二実施例によれば、刃物を用いてカットした場合、あるいは剥がそうとした場合、前記した密封構造が破壊され、内部の液状インク８が周囲に流出する。この時に、例えば２５４ｎｍや３６５ｎｍ等の紫外線を照射すると、流出した液状インク８が発光して、その流出を一目で確認することができ、カットしようとしたり剥がそうとした痕跡の有無を確認することができる。
【産業上の利用可能性】
【００３７】
本発明に係るセキュリティシールは上述のように構成されている。そのために、薬局、病院、研究室等に薬品や毒物等の保管、警察等における拳銃や身分証、証拠等の保管、流体のジョイントの管理、会社や役所等の機密書類の管理等に幅広く応用実施することができる。
【図面の簡単な説明】
【００３８】
【図１】本発明を実施したセキュリティシールの外観を示す斜視図である。
【図２】断面図である。
【図３】他の例を示す断面図である。
【図４】実施状態を示す図である。
【図５】印刷状態を示す図である。
【図６】発光インクをマイクロカプセルに封入して使用して剥がした状態を示す図である。
【符号の説明】
【００３９】
１    剥離紙
２    接着剤層
３    シール基材
３ａ  シール基材
４    印刷層
５    受理層
６    特殊印刷層
７    印刷層のない部分
８    液状インク
９    マイクロカプセル
１０  対象物
１１  紫外線発光器
１２  切断部分
１３  むしった部分
【図１】
2006113245.tif 000003
【図２】
2006113245.tif 000004
【図３】
2006113245.tif 000005
【図４】
2006113245.tif 000006
【図５】
2006113245.tif 000007
【図６】
2006113245.tif 000008